(57)【特許請求の範囲】
【請求項１】
少なくとも1つのアンカー要素を少なくとも1つのカニューレ上に受容するように構成された該少なくとも1つのカニューレと、該少なくとも1つのカニューレ内の医療装置とを含む、アンカー展開装置であって、該アンカー展開装置が、該アンカー展開装置の主ボディを該医療装置の少なくとも一部分に固定するように構成され、該アンカー展開装置が、該医療装置を該アンカー展開装置に固定するように構成されたロック機構をさらに含み、該ロック機構が、選択的に、該アンカー展開装置に結合されるとともに該アンカー展開装置から取り外され、かつ主ボディ上の医療装置ロック位置と主ボディ上の別のハンドルロック位置との間で移動されるように構成された少なくとも1つの取り外し可能なクリップを含み、該少なくとも1つの取り外し可能なクリップが該医療装置ロック位置で該アンカー展開装置の該主ボディに結合される場合に、該少なくとも1つの取り外し可能なクリップが、該医療装置と係合し且つ該少なくとも1つのカニューレから係合解除されるように構成され、該少なくとも1つの取り外し可能なクリップが該ハンドルロック位置で該アンカー展開装置の該主ボディに結合される場合に、該少なくとも1つの取り外し可能なクリップが、該医療装置から係合解除され且つ該少なくとも1つのカニューレと係合するように構成されている、アンカー展開装置。
【請求項２】
少なくとも1つのカニューレが、
少なくとも1つのアンカー要素をその上に受容するように構成された第一のカニューレ；および
その中に受容された該第一のカニューレの少なくとも一部分を有する第二のカニューレ
を含み、該第一のカニューレが該第二のカニューレに対して移動可能であり、アンカー展開装置を医療装置の少なくとも一部分に固定するために、該第二のカニューレが、該少なくとも1つのアンカー要素を該第一のカニューレから押しやるように構成されている、請求項1記載のアンカー展開装置。
【請求項３】
ハブの動きが第一のカニューレを第二のカニューレに対して移動させるように、第一のカニューレが、アンカー展開装置の一部分内に移動可能に受容されたハブを含む、請求項2記載のアンカー展開装置。
【請求項４】
少なくとも1つの取り外し可能なクリップが、ハブを固定して第二のカニューレに対する該ハブおよび第一のカニューレの動きを制限するように構成されている、請求項3記載のアンカー展開装置。
【請求項５】
少なくとも1つの取り外し可能なクリップが医療装置ロック位置でアンカー展開装置の主ボディに結合される場合に、該少なくとも1つの取り外し可能なクリップが、医療装置と係合し且つハブから係合解除されるように構成され、該少なくとも1つの取り外し可能なクリップがハンドルロック位置で該アンカー展開装置の該主ボディに結合される場合に、該少なくとも1つの取り外し可能なクリップが、該医療装置から係合解除され且つ該ハブと係合するように構成されている、請求項4記載のアンカー展開装置。
【請求項６】
少なくとも1つの取り外し可能なクリップが、医療装置ロック位置およびハンドルロック位置の両方に配置されるように構成された単一のクリップを含む、請求項1記載のアンカー展開装置。
【請求項７】
医療装置ロック位置が、医療装置がアンカー展開装置の主ボディに対して外側の位置まで延びる位置に近い、アンカー展開装置の後方部分に位置し、ハンドルロック位置が、ハブが主ボディに受容される凹みに近い、アンカー展開装置の中間部分に位置する、請求項5または6記載のアンカー展開装置。
【請求項８】
少なくとも１つのアンカー要素を少なくとも1つのカニューレ上に受容し且つ医療装置を少なくとも1つのカニューレの中に受容するように構成されている、少なくとも1つのカニューレ；および
該医療装置および該少なくとも1つのカニューレの一部分を選択的に固定するように構成されたロック機構
を含む、アンカー展開装置であって、
該ロック機構が、選択的に、該アンカー展開装置に結合されるとともに該アンカー展開装置から取り外され、かつ主ボディ上の医療装置ロック位置と主ボディ上の別個のハンドルロック位置との間で移動されるように構成された取り外し可能なクリップを含み、該取り外し可能なクリップが医療装置ロック位置でアンカー展開装置の主ボディに結合される場合に、該取り外し可能なクリップが、該医療装置と係合し且つ該少なくとも1つのカニューレの該一部分から係合解除されるように構成され、該取り外し可能なクリップがハンドルロック位置で該アンカー展開装置の該主ボディに結合される場合に、該取り外し可能なクリップが、該医療装置から係合解除され且つ該少なくとも1つのカニューレの該一部分と係合するように構成されている、アンカー展開装置。
【請求項９】
その少なくとも一部分が対象の皮下組織内に配置されるように構成された医療装置；および
少なくとも1つのアンカー要素を該医療装置上に配置して該医療装置の該一部分を該対象内に固定するように構成された、請求項1〜8のいずれか1項記載のアンカー展開装置
を含む、医療装置アセンブリ。
【請求項１０】
少なくとも1つのアンカー要素を医療装置上に配置して該医療装置の一部分を対象内に固定するように構成された請求項１〜８のいずれか一項記載のアンカー展開装置；および
該少なくとも1つのアンカー要素を受容するための少なくとも1つのポストを含むアンカー装填装置
を含む、アンカー展開装置アセンブリであって、
該アンカー装填装置または該アンカー展開装置の少なくとも1つに力が加えられた場合に、該アンカー装填装置が該少なくとも1つのアンカー要素を該アンカー装填装置から該アンカー展開装置に移すように構成されている、アンカー展開装置アセンブリ。
【請求項１１】
アンカー装填装置が、該アンカー装填装置とアンカー展開装置との間に力が加えられた場合に、少なくとも1つのアンカー要素を該アンカー装填装置のポストから該アンカー展開装置のカニューレに移すように構成されている、請求項10記載のアンカー展開装置アセンブリ。
【請求項１２】
アンカー装填装置が、該アンカー装填装置の一部分をアンカー展開装置に対して移動させることによって少なくとも1つのアンカー要素を該アンカー装填装置のポストから該アンカー展開装置のカニューレに移すように構成された回転部材を含む、請求項11記載のアンカー展開装置アセンブリ。
【発明の詳細な説明】
【技術分野】
【０００１】
優先権主張
本出願は、開示内容全体が参照により本明細書に組み入れられる、2015年9月15日に出願された米国特許仮出願第62/218,988号「Deployment Devices and Related Assemblies and Methods」の出願日の恩典を主張する。
【０００２】
技術分野
本開示は概して、医療装置および関連の方法の分野に関する。特に、本開示は、別の装置、たとえば、医療装置（たとえば医学的治療送達装置）の少なくとも一部分を対象内に保持するために利用され得る1つまたは複数のアンカー要素および／またはアンカー要素アセンブリを展開させるために利用され得る展開装置および関連の方法に関する。
【背景技術】
【０００３】
背景
カテーテルおよびリードのような埋め込み可能な医療装置（たとえば医学的治療送達装置）が多様な治療および診断目的のために用いられ得る。対象中のそのような治療送達要素の制御された配置および保持が非常に望ましい。理由は、正確な配置および保持が改善された治療効能および／または副作用低減をもたらすからである。しかし、送達要素の位置は時間とともに変化し得る。たとえば、対象が動くと、埋め込まれた送達要素の位置が対象内で動いたり、ずれたりすることがある。
【０００４】
対象の標的部位に対する治療送達要素の送達領域（たとえば送達要素の注入区分または電極）の位置を固定するために、アンカーを治療送達要素の周囲に配置し、対象の皮下組織に縫合し得る。
【０００５】
たとえば、開示内容全体が参照により本明細書に組み入れられるBarkerらへの米国特許第8,295,948号（特許文献1）は、埋め込み可能な脊髄刺激装置とで使用するための管状アンカーを記載している。これらのリードアンカーは、埋め込み可能な脊髄刺激装置のリードを複数の管状部材に通し、リードアンカーを縫合によって対象の組織に固定することを要する。しかし、施術者がそのようなアンカー（または他の構成部品）を医療装置上に確実かつ繰り返し設置することを可能にし、かつ設置手順を簡略化する医療装置ならびに医療装置アンカーおよび定着システムのための展開装置を提供することは有利であろう。
【先行技術文献】
【特許文献】
【０００６】
【特許文献１】米国特許第8,295,948号
【発明の概要】
【０００７】
開示
展開装置、アンカー要素、アンカー要素アセンブリ、医療装置の少なくとも一部分を対象内に定着する方法および他の関連の方法が記載される。そのような展開装置は、医療装置の少なくとも一部分が対象内に配置されている（たとえば内在する）間に1つまたは複数のアンカー要素を対象内で医療装置上に配置および／または展開するために利用され得る。
【０００８】
少なくとも1つのアンカー要素を少なくとも1つのカニューレ上に受容するように構成された少なくとも1つのカニューレと、少なくとも1つのカニューレ内の医療装置とを含む、アンカー展開装置が開示される。アンカー展開装置は、医療装置および少なくとも1つのカニューレの一部分を選択的に固定する（たとえば対象内でのアンカー配置手順中に）ように構成されている。
【０００９】
また、少なくとも1つのアンカー要素を少なくとも1つのカニューレ上に受容するように構成された少なくとも1つのカニューレと、少なくとも1つのカニューレ内の医療装置と、医療装置をアンカー展開装置に固定するように構成されたロック機構とを含む、アンカー展開装置が開示される。
【００１０】
さらに、展開装置を作動させる方法が開示される。方法は、少なくとも部分的に展開装置の少なくとも1つのカニューレ内に配置された医療装置をロック機構によって固定する工程、医療装置を解放する工程、および展開装置の少なくとも1つのカニューレの少なくとも一部分をロック機構によって固定する工程を含む。
【００１１】
いくつかの態様において、アンカー要素アセンブリは、縦軸を有する少なくとも1つのアンカー要素を含む。このアンカー要素は、少なくとも1つのアンカー要素が展開状態にある場合に少なくとも1つのアンカー要素の縦軸から横方向または側方に延びるように構成された少なくとも1つのローブを含む少なくとも1つのローブ区分と、医療装置の少なくとも一部分をその中に受容するように構成された、少なくとも1つのアンカー要素内に形成されたルーメンとを含む。アンカー要素アセンブリはさらに、少なくとも1つのアンカー要素を少なくとも1つのカニューレ上に受容するように構成された少なくとも1つのカニューレを含む、アンカー展開装置を含む。アンカー展開装置は、アンカー展開装置を医療装置の少なくとも一部分に固定するように構成されている。
【００１２】
特定の態様においては、少なくとも1つの突出区分を含むアンカー要素が、アンカー要素が展開状態にある場合にアンカー要素の縦軸から横方向または側方に延びるように構成された少なくとも2つの周方向に離間した突出部と、医療装置の少なくとも一部分をその中に受容するように構成された、アンカー要素内に形成されたルーメンとを含む。アンカー要素は、医療装置の少なくとも一部分が対象内に配置されている間に医療装置の少なくとも一部分の上に固定されるように構成されている。
【００１３】
また、アンカー展開装置アセンブリが開示される。アンカー展開装置アセンブリは、少なくとも1つのアンカー要素を医療装置上に配置して医療装置の一部分を対象内に固定するように構成されたアンカー展開装置と、少なくとも1つのアンカーを受容するための少なくとも1つのポストを含むアンカー装填装置とを含む。アンカー装填装置は、アンカー装填装置またはアンカー展開装置の少なくとも1つに力が加えられた場合に、少なくとも1つのアンカー要素をアンカー装填装置からアンカー展開装置に移すように構成されている。
【００１４】
また、医療装置を対象内に定着する方法が開示される。方法は、医療装置の少なくとも一部分を対象内に配置する工程、医療装置の少なくとも一部分を少なくとも1つのアンカー要素のルーメン内に固定する工程、および医療装置の少なくとも一部分が対象内に配置されている間に少なくとも1つのアンカー要素の少なくとも1つの突出部を展開させて、少なくとも1つのアンカー要素の縦軸から横方向または側方に延ばす工程を含む。
【００１５】
また、このようなアンカー要素および／またはアンカー要素アセンブリを含む医療装置アセンブリが開示される。
【００１６】
また、本開示のアンカー要素およびアンカー要素アセンブリを形成し、利用する方法が開示される。
[本発明1001]
少なくとも1つのアンカー要素を少なくとも1つのカニューレ上に受容するように構成された該少なくとも1つのカニューレと、該少なくとも1つのカニューレ内の医療装置とを含む、アンカー展開装置であって、該アンカー展開装置の主ボディを該医療装置の少なくとも一部分に固定するように構成されている、アンカー展開装置。
[本発明1002]
少なくとも1つのカニューレが、
少なくとも1つのアンカー要素をその上に受容するように構成された第一のカニューレ；および
その中に受容された該第一のカニューレの少なくとも一部分を有する第二のカニューレ
を含み、該第一のカニューレが該第二のカニューレに対して移動可能であり、アンカー展開装置を医療装置の少なくとも一部分に固定するために、該第二のカニューレが、該少なくとも1つのアンカー要素を該第一のカニューレから押しやるように構成されている、本発明1001のアンカー展開装置。
[本発明1003]
ハブの動きが第一のカニューレを第二のカニューレに対して移動させるように、第一のカニューレが、アンカー展開装置の一部分内に移動可能に受容されたハブに結合されている、本発明1002のアンカー展開装置。
[本発明1004]
ハブを固定して第二のカニューレに対する該ハブおよび第一のカニューレの動きを制限するように構成された固定部材をさらに含む、本発明1003のアンカー展開装置。
[本発明1005]
医療装置をアンカー展開装置に固定するように構成されたロック機構をさらに含む、本発明1001または1004のアンカー展開装置。
[本発明1006]
アンカー展開装置に固着され、枢動可能なハンドルの第一の側および枢動可能なハンドルの第二の側を該アンカー展開装置の主ボディに対して枢動させるように構成された、枢動可能なハンドルをさらに含み、該枢動可能なハンドルが、該枢動可能なハンドルの該第一の側にロック機構を有し、該枢動可能なハンドルの該第二の側に固定部材を有し、該枢動可能なハンドルの第一の位置において、該ロック機構が医療装置と係合するように構成され且つ該固定部材がハブから係合解除されるように構成され、該枢動可能なハンドルの第二の位置において、該ロック機構が該医療装置から係合解除されるように構成され且つ該固定部材が該ハブと係合するように構成されている、本発明1005のアンカー展開装置。
[本発明1007]
アンカー展開装置にスライド可能に取り付けられ、スライド可能なハンドルの第一の側およびスライド可能なハンドルの第二の側をアンカー展開装置の主ボディに対してスライドさせるように構成された、スライド可能なハンドルをさらに含み、該スライド可能なハンドルが、該スライド可能なハンドルの該第一の側にロック機構を有し、該スライド可能なハンドルの該第二の側に固定部材を有し、該スライド可能なハンドルの第一の位置において、該ロック機構が医療装置と係合するように構成され且つ該固定部材がハブから係合解除されるように構成され、該スライド可能なハンドルの第二の位置において、該ロック機構が該医療装置から係合解除されるように構成され且つ該固定部材が該ハブと係合するように構成されている、本発明1005のアンカー展開装置。
[本発明1008]
アンカー展開装置に枢動点で固着され、ロック機構および固定部材をアンカー展開装置の主ボディに対して枢動させるように構成された、枢動可能なハンドルをさらに含み、該枢動可能なハンドルが、該ロック機構を含む第一の側および該固定部材を含む第二の側を有する、枢動点から1つの方向に延びるアームを有し、該枢動可能なハンドルの第一の位置において、該ロック機構が医療装置と係合するように構成され且つ該固定部材がハブから係合解除されるように構成され、該枢動可能なハンドルの第二の位置において、該ロック機構が該医療装置から係合解除されるように構成され且つ該固定部材が該ハブと係合するように構成されている、本発明1005のアンカー展開装置。
[本発明1009]
ロック機構および固定機構が少なくとも1つの取り外し可能なクリップを含み、該少なくとも1つの取り外し可能なクリップが第一の位置でアンカー展開装置の主ボディに結合される場合に、該少なくとも1つの取り外し可能なクリップが、医療装置と係合し且つハブから係合解除されるように構成され、該少なくとも1つの取り外し可能なクリップが第二の位置で該アンカー展開装置の該主ボディに結合される場合に、該少なくとも1つの取り外し可能なクリップが、該医療装置から係合解除され且つ該ハブと係合するように構成されている、本発明1005のアンカー展開装置。
[本発明1010]
少なくとも1つの取り外し可能なクリップが、第一の位置および第二の位置の両方に配置されるように構成された単一のクリップを含む、本発明1009のアンカー展開装置。
[本発明1011]
第一の位置が、医療装置がアンカー展開装置の主ボディに対して外側の位置まで延びる位置に近い、アンカー展開装置の後方部分に位置し、第一の位置が、ハブが主ボディに受容される凹みに近い、アンカー展開装置の中間部分に位置する、本発明1009または1010のアンカー展開装置。
[本発明1012]
医療装置をアンカー展開装置に選択的に固定し且つ少なくとも1つのカニューレの一部分を固定するように構成されたロック機構をさらに含み、該ロック機構の第一の位置において、該ロック機構が該医療装置と係合し且つ該少なくとも1つのカニューレの該一部分から係合解除されるように構成され、該ロック機構の第二の位置において、該ロック機構が該医療装置から係合解除され且つ該少なくとも1つのカニューレの該一部分と係合するように構成されている、本発明1001〜1004のいずれかのアンカー展開装置。
[本発明1013]
ユーザが、医療装置および少なくとも1つのカニューレの一部分の少なくとも一方をアンカー展開装置の一部分に押しつけることにより、該医療装置または該少なくとも1つのカニューレの該一部分の少なくとも一方を手で保持することを可能にするように構成されている、本発明1001〜1004のいずれかのアンカー展開装置。
[本発明1014]
少なくとも1つのアンカー要素を少なくとも1つのカニューレ上に受容し且つ医療装置を少なくとも1つのカニューレの中に受容するように構成されている、少なくとも1つのカニューレ；および
該医療装置および該少なくとも1つのカニューレの一部分を選択的に固定するように構成されたロック機構
を含む、アンカー展開装置。
[本発明1015]
ロック機構が可動ハンドルを含み、該可動ハンドルが、アンカー展開装置に結合され且つ該可動ハンドルの第一の側および該可動ハンドルの第二の側をアンカー展開装置の主ボディに対して動かすように構成され、第一の位置において、該可動ハンドルの該第一の側が医療装置と係合するように構成され且つ該可動ハンドルの第二の側が少なくとも1つのカニューレの一部分から係合解除されるように構成され、第二の位置において、該可動ハンドルの該第一の側が該医療装置から係合解除されるように構成され且つ該可動ハンドルの該第二の側が該少なくとも1つのカニューレの該一部分と係合するように構成されている、本発明1014のアンカー展開装置。
[本発明1016]
ロック機構が取り外し可能なクリップを含み、該取り外し可能なクリップが第一の位置でアンカー展開装置の主ボディに結合される場合に、該取り外し可能なクリップが、医療装置と係合し且つ少なくとも1つのカニューレの一部分から係合解除されるように構成され、該取り外し可能なクリップが第二の位置で該アンカー展開装置の該主ボディに結合される場合に、該取り外し可能なクリップが、該医療装置から係合解除され且つ該少なくとも1つのカニューレの該一部分と係合するように構成されている、本発明1014のアンカー展開装置。
[本発明1017]
その少なくとも一部分が対象の皮下組織内に配置されるように構成された医療装置；および
少なくとも1つのアンカー要素を該医療装置上に配置して該医療装置の該一部分を該対象内に固定するように構成された、本発明1001〜1016のいずれかのアンカー展開装置
を含む、医療装置アセンブリ。
[本発明1018]
少なくとも1つのアンカー要素を医療装置上に配置して該医療装置の一部分を対象内に固定するように構成されたアンカー展開装置；および
該少なくとも1つのアンカー要素を受容するための少なくとも1つのポストを含むアンカー装填装置
を含む、アンカー展開装置アセンブリであって、
該アンカー装填装置または該アンカー展開装置の少なくとも1つに力が加えられた場合に、該アンカー装填装置が該少なくとも1つのアンカー要素を該アンカー装填装置から該アンカー展開装置に移すように構成されている、アンカー展開装置アセンブリ。
[本発明1019]
アンカー装填装置が、該アンカー装填装置とアンカー展開装置との間に力が加えられた場合に、少なくとも1つのアンカー要素を該アンカー装填装置のポストから該アンカー展開装置のカニューレに移すように構成されている、本発明1018のアンカー展開装置アセンブリ。
[本発明1020]
アンカー装填装置が、該アンカー装填装置の一部分をアンカー展開装置に対して移動させることによって少なくとも1つのアンカー要素を該アンカー装填装置のポストから該アンカー展開装置のカニューレに移すように構成された回転部材を含む、本発明1019のアンカー展開装置アセンブリ。
[本発明1021]
少なくとも部分的に展開装置の少なくとも1つのカニューレ内に配置された医療装置をロック機構によって固定する工程；
該医療装置を解放する工程；および
該展開装置の該少なくとも1つのカニューレの少なくとも一部分を該ロック機構によって固定する工程
を含む、展開装置を作動させる方法。
[本発明1022]
クリップを含むロック機構を展開装置上の第一の位置から取り外して医療装置を解放し、該クリップを該展開装置上の第二の位置に配置して該展開装置の少なくとも1つのカニューレの少なくとも一部分を固定する工程をさらに含む、本発明1021の方法。
【図面の簡単な説明】
【００１７】
【図１】本開示の態様に従う、医療装置上に配置されたアンカー要素を含む医療装置アセンブリを示す。
【図２】図2Aおよび2Bは、それぞれ初期状態および展開状態にある本開示の態様に従うアンカー要素を示す。
【図３】図3Aおよび3Bは、それぞれ初期状態および展開状態にある本開示の態様に従うアンカー要素を示す。
【図４】1つの態様に従うアンカー展開装置を示す。
【図５】アンカー要素を展開し始めた、図4に示すアンカー展開装置の図を示す。
【図６】医療装置がアンカー展開装置に受容されている、図4に示すアンカー展開装置の一部分の断面図を示す。
【図７】医療装置がアンカー展開装置に受容され、アンカー要素がアンカー展開装置に取り付けられている、図4に示すアンカー展開装置の一部分の別の断面図を示す。
【図８】図8Aおよび8Bは、それぞれ初期状態および展開状態にある本開示の態様に従うアンカー要素を示す。
【図９】本開示の態様に従うアンカー展開装置の斜視図を示す。
【図１０】本開示の態様に従うアンカー展開装置の側面図を示す。
【図１１】本開示の態様に従うアンカー展開装置の斜視図を示す。
【図１２】本開示の態様に従うアンカー展開装置の断面図を示す。
【図１３】本開示の態様に従うアンカー展開装置の斜視図を示す。
【図１４】本開示の態様に従うアンカー展開装置の断面図を示す。
【図１５】本開示の態様に従うアンカー展開装置の斜視図を示す。
【図１６】本開示の態様に従うアンカー展開装置の断面図を示す。
【図１７】本開示の態様に従うアンカー展開装置の斜視図を示す。
【図１８】本開示の態様に従うアンカー展開装置の斜視図を示す。
【図１９】本開示の態様に従うアンカー展開装置の側面図を示す。
【図２０】本開示の態様に従うアンカー展開装置の斜視図を示す。
【図２１】本開示の態様に従うアンカー展開装置の斜視図を示す。
【図２２】本開示の態様に従うアンカー展開装置の断面図を示す。
【図２３】本開示の態様に従うアンカー展開装置およびアンカー装填装置を含むアセンブリを示す。
【図２４】本開示の態様に従うアンカー展開装置およびアンカー装填装置を含むアセンブリを示す。
【図２５】本開示の態様に従うアンカー展開装置およびアンカー装填装置を含むアセンブリの分解部分断面図を示す。
【発明を実施するための形態】
【００１８】
発明を実施するための形態
本明細書に提示される図面は、任意の特定の装置、アセンブリ、システム、方法またはそれらの構成要素の実際の見た目であることを必ずしも意図せず、単に、開示の態様を説明するために用いられる理想化された表現である。加えて、図面間で共通の要素は同じ符号を有し得る。
【００１９】
図1は、医療装置102（たとえば医療装置102の末端部分）上に配置されたアンカー要素100を含む医療装置アセンブリを示す。このような医療装置102は、診断装置、モニタリング装置、治療装置またはそれらの組み合わせを含み得る。たとえば、医療装置102は、医学的治療送達装置、対象のパラメータを感知するように構成された医療装置、状態を診断するように構成された医療装置、対象から1つまたは複数の組織および／または流体を採取するように構成された医療装置またはそれらの組み合わせを含み得る。
【００２０】
医療装置102は、対象に医療サービス（たとえば診断、モニタリング、治療またはそれらの組み合わせ）を提供するために単独で利用されてもよいし、1つまたは複数の医療装置103（たとえば、医療装置102に電気的および／または機械的に結合されている対象に対して内部または外部の医療装置）とともに利用されてもよい。たとえば、医療装置102および／または103は、ペースメーカ、除細動器、モニタリング装置、注入装置、神経刺激装置、胃刺激装置、蝸牛刺激装置または少なくとも部分的に対象に皮下埋め込みされる任意の他の装置のような装置を含み得る。
【００２１】
いくつかの態様において、医療装置102の少なくとも一部分は、対象の神経系の近く（たとえば脊髄もしくは脊柱管、脳および／または末梢神経系の近くに）配置される。医療装置102は、カテーテル、リードまたはリード延長部であり得る。たとえば、医療装置102は、1つまたは複数の電極をその末端部分に含むリードであり得る。リード中の電気接点が、電気信号発生装置（たとえば対象に対して外部または内部の医療装置103）を有する制御モジュールに電気的に（たとえば物理的またはワイヤレスに）結合され得、医療装置103によって生成された信号が電極を介して対象に印加され得る。いくつかの態様において、そのようなリードは、たとえば脊髄刺激のような多様な治療および処置において利用され得る埋め込み可能な刺激装置として利用される。たとえば、埋め込み可能な刺激装置は、脊髄のような神経、筋肉または他の組織を刺激するために使用され得る。リードの刺激装置電極は、刺激される神経、筋肉または他の組織と接触または接近した状態で埋め込まれ得る。医療装置103のパルス発生装置が電気パルスを生成し、その電気パルスが電極によって体組織に印加される。そのような態様において、リードは、組織を損傷したり、刺激装置電極を所望の位置から移動させたり、刺激装置電極と医療装置102、103との間の接続を遮断したりするおそれのある、対象内でのリードまたは刺激電極の動きを防止または低減するために（たとえば対象中の装置102、103の短期間または長期間配置中に）、対象中の1つまたは複数の場所に定着される。
【００２２】
図1に示すように、アンカー要素100は、医療装置102の少なくとも一部分（たとえば医療装置102のカニューレ）の上に配置される。たとえば、医療装置102の少なくとも一部分は、アンカー要素100の管状ボディ（たとえばカニューレ）によって形成されたルーメン内に配置され得る。図示するように、アンカー要素100は、1つまたは複数の突出部（たとえば、1つ、2つ、3つ、4つまたはより多くのローブ104、たとえば周方向に離間したローブ）がアンカー要素100の一部分から外方に（たとえば、アンカー要素100の縦軸または中心線から横方向外方に）延びる展開状態で示されている。アンカー要素100から横方向に延びる各ローブ104は、ローブ104内に開口部107を形成し得る。
【００２３】
アンカー要素100のローブ104は、医療装置102に取り付けられると、対象の1つまたは複数の部分と係合することによって医療装置102を定着することができる。たとえば、アンカー要素100のローブ104は、対象の組織（たとえば筋組織、神経組織、結合組織など）の一部分と係合して、医療装置102を少なくとも部分的に対象内の所望の位置に保持し得る。いくつかの態様においては、ローブ104に近いところで対象の組織の再成長がローブ104の少なくとも一部分と絡み合って（たとえば、組織が開口部107を通って延び得る）、アンカー要素100および医療装置102を対象内にさらに定着し得る。
【００２４】
アンカー要素100は、医療装置102の少なくとも一部分（たとえば医療装置102の外側部分または外面）に結合（たとえば機械的に結合）され得る。たとえば、アンカー要素100は、接着またはファスナの使用によってではなく、機械的締り（たとえば摩擦、圧縮、スエージ加工などを利用）によって医療装置102に固定され得る。アンカー要素100は、アンカー要素100を医療装置102に保持するための1つまたは複数の部分を含み得る。たとえば、係合部分106、108がローブ104の各側に形成され、アンカー要素100を医療装置102に固定する（たとえば機械的締り嵌めを介して）ように作用し得る。いくつかの態様において、アンカー要素100の係合部分106、108それぞれは、医療装置102の外寸（たとえば直径）よりも小さい内寸（たとえば直径）を含む。アンカー要素100の1つまたは複数の部分（たとえば係合部分106、108）は、可撓性材料（たとえば弾性変形可能な材料）、たとえばポリマー（たとえばシリコーン、ポリウレタンなど）から形成され得る。可撓性係合部分106、108は、係合部分106、108それぞれ内に形成されたルーメンの断面積を拡大するように変形（たとえば弾性変形）し得る。拡大した係合部分106、108は、医療装置102の上に（たとえばその周囲に）配置され得る。拡大した係合部分106、108は実質的にその元のサイズ（たとえば断面積）まで収縮することができるため、係合部分106、108は医療装置102と係合し、結合し得る。
【００２５】
いくつかの態様において、アンカー要素100の1つまたは複数の端部は、対象へのアンカー要素100の挿入を支援するためのテーパ110または面取り部を含む。
【００２６】
図2Aおよび2Bは、それぞれ初期状態（たとえば格納または弛緩状態）および展開状態（たとえば内径半拡張状態）にあるアンカー要素（たとえばアンカー要素100）を示す。図2Aに示すように、アンカー要素100は、アンカー要素100の係合部分106、108の間に配置された突出部またはローブ部分105を含む。アンカー要素100のボディはその中にルーメン101を形成し得る。ローブ部分105のローブ104（たとえば2つのローブ104）は、アンカー要素100の管状ボディ中の切れ目112によってアンカー要素100の周囲に（たとえば周方向に等間隔で）形成されている。初期状態において、アンカー要素100のローブ部分105はアンカー要素100の縦軸L100と実質的に平行である（たとえばそれと同一の広がりを有する）。
【００２７】
また、図2Bを参照すると、係合部分106、108を互いに向けて移動させると、アンカー要素100を展開状態に移行させ得る。切れ目112が、ローブ104がアンカー要素100の一部分から（たとえば係合部分106、108から）外方に（たとえば、アンカー要素100の縦軸L100に対して側方または横向き（たとえば垂直）の方向に）延びることを可能にする。
【００２８】
図3Aおよび3Bは、それぞれ初期状態（たとえば格納状態）および展開状態にあるアンカー要素200を示す。図3Aに示すように、アンカー要素200は、上述のアンカー要素100といくぶん類似し得、アンカー要素200のボディはその中にルーメン201を形成し得る。しかし、アンカー要素200は、アンカー要素200の係合部分206、208の間に配置された1つよりも多いローブ部分（たとえば2つのローブ部分205、207）を含み得る。他の態様において、アンカー要素200は3つ、4つまたはより多くのローブ部分を含む。各ローブ部分205、207のローブ204（たとえば2つのローブ）は、アンカー要素200の管状ボディ中の切れ目212によってアンカー要素200の周囲に（たとえば周方向に等間隔で）形成されている。初期状態において、アンカー要素200のローブ部分205はアンカー要素200の縦軸L200と実質的に平行である（たとえばそれと同一の広がりを有する）。
【００２９】
いくつかの態様において、アンカー要素200は、ローブ部分205、207の間に配置されたさらなる係合部分209を含む。
【００３０】
また、図3Bを参照すると、係合部分206、208を互いに向けて（たとえばさらなる係合部分209に向けて）移動させると、アンカー要素200を展開状態に移行させ得る。切れ目212が、ローブ204がアンカー要素200の一部分から（たとえば係合部分206、208から）外方に（たとえば、アンカー要素200の縦軸L200に対して側方または横向き（たとえば垂直）の方向に）延びることを可能にする。図示するように、ローブ部分205、207は互いからオフセット（たとえば、アンカー要素200の縦軸L200を中心に90°オフセット）していてもよい。
【００３１】
図4は、アンカー要素（たとえば、図1〜3Bを参照しながら上述したアンカー要素100、200）とともに利用され得るアンカー展開装置300を示す。図4に示すように、アンカー展開装置300は、第一のカニューレ（たとえば展開カニューレ302）と、少なくとも部分的に展開カニューレ302内に受容された第二のカニューレ（たとえばアンカーカニューレ304）とを含む。たとえば、展開カニューレ302は、アンカーカニューレ304が展開カニューレ302内に受容され、かつ動き得るよう、アンカーカニューレ304の外寸（たとえば直径）よりも大きい内寸（たとえば直径）を有し得る。アンカー展開装置300は、展開カニューレ302に結合された第一の部分308と、アンカーカニューレ304に結合された第二の部分310とを有するハンドル306を含み得る。ハンドル306の部分308、310は、展開カニューレ302内でアンカーカニューレ304を動かすために、互いに対して移動可能であり得る（たとえば、第二の部分310が第一の部分308に対してスライドし得る）。ハンドル306の各部分308、310は、ユーザ（たとえば医療施術者）がハンドル306を作動させ、それによって第二の部分310を第一の部分308に対して共通軸に沿ってスライドさせることを可能にする1つまたは複数のグリップ314を含み得る。
【００３２】
図示するように、アンカーカニューレ304は、アンカー展開装置300の末端部分312においてアンカー要素（たとえばアンカー要素100）をアンカーカニューレ304上に受容するようにサイズ設定され得る。アンカーカニューレ304の外寸（たとえば直径）がアンカー要素100の内寸（たとえば直径）よりも大きくてもよい。アンカーカニューレ304のそのような直径は、アンカー要素100の一部分内に（たとえば、係合部分106、108（図1）それぞれに）形成されたルーメン101の断面積を拡大して、初期寸法を拡大寸法にまで形成するように作用し得る。たとえば、アンカーカニューレ304は、アンカー要素100を、アンカー要素100が配置される医療装置102（図1）の寸法（たとえば直径）よりも大きい寸法（たとえば直径）にまで変形（たとえば弾性変形）させ得る。
【００３３】
図5は、アンカー要素（たとえば内径拡張状態にあるアンカー要素100）を展開し始めた、図4に示すアンカー展開装置300の図を示す。図5に示すように、医療装置（たとえば医療装置102）の少なくとも一部分がアンカー展開装置300の一部分内に受容され得る。たとえば、アンカーカニューレ304は、医療装置102の少なくとも一部分をアンカーカニューレ304内に受容することを可能にするようにサイズ設定されている内径（たとえば直径）を有し得る。いくつかの態様において、アンカー展開装置300の基端部316は、医療装置102がアンカー展開装置300を通って延び、基端部316においてアンカー展開装置300から出るように構成されている。このような構成は、ユーザが、アンカー要素100を任意の所望の位置でアンカー展開装置300に固定するために、アンカー展開装置300を医療装置102に沿って配置し、その中に通すことを可能にし得る。たとえば、医療装置102を対象内に配置し得、アンカー展開装置300を医療装置102に沿ってスライドさせ得る。医療装置102が対象内に内在する間、アンカー展開装置300の一部分（たとえば末端部分312）を対象内に挿入してアンカー要素100を固定し得る。
【００３４】
ハンドル306の作動が、アンカーカニューレ304（たとえば、半径方向に拡大または伸張した状態にある）上に配置されたアンカー要素100を展開カニューレ302（たとえば展開カニューレ302の前端318）と接触させ得る。展開カニューレ302は、アンカー要素100の少なくとも一部分をアンカーカニューレ304に沿って押しやる（たとえばスライドさせる）ように作用し得る。たとえば、展開カニューレ302は、第一の係合部分106を第二の係合部分108に向けて押しやり、それによってアンカー要素100のローブ104を展開させ得る。アンカーカニューレ304が展開カニューレ302内でスライドすると、展開カニューレ302の前端318がアンカー要素100をアンカーカニューレ304から押しやり、医療装置102に押し当て得る（たとえば、図1に示す位置へと）。
【００３５】
図6は、医療装置102がアンカー展開装置300中に受容されている、図4に示すアンカー展開装置300の一部分の断面図を示す。図6に示すように、アンカーカニューレ304の内径ID304は、医療装置102をアンカーカニューレ304内に受容することを可能にするようにサイズ設定されている。展開カニューレ302の内径ID302は、アンカーカニューレ304が展開カニューレ302内に受容され、かつ動き得るよう、アンカーカニューレ304の外寸OD304よりも大きくてもよい。
【００３６】
図7は、医療装置102がアンカー展開装置300に受容され、アンカー要素100がアンカー展開装置300に取り付けられている、図4に示すアンカー展開装置300の一部分の別の断面図を示す。アンカーカニューレ304の外径OD304は、アンカーカニューレ304が、アンカー要素100の一部分内に形成されたルーメンの断面積を拡大して、アンカーカニューレ304の外径OD304と実質的に等しいアンカー要素100の拡大した内径ID100を形成するよう、アンカー要素100の内径より大きくてもよい。アンカー要素100の拡大した内径ID100は、アンカー要素100の拡大した内径ID100を医療装置102の外径OD102上で展開し得るよう、医療装置102の外径OD102よりも大きくてもよい。アンカー要素100がアンカーカニューレ304から取り外される場合に（たとえば、上述したように展開カニューレ302によって）、アンカー要素100は、アンカー要素100の初期直径（たとえば、アンカー要素100の初期直径は医療装置102の外径OD102よりも小さい）へと収縮してアンカー要素100を医療装置102に固定し得る。
【００３７】
図8Aおよび8Bは、それぞれ初期状態および展開状態にあるアンカー要素400を示す。アンカー要素400は、図1〜3Bを参照しながら上述したアンカー要素100、200に類似し得、それらと同じ特徴および機能の1つまたは複数を含み得る。図8Aに示すように、アンカー要素400は、アンカー要素400の係合部分406、408の間に配置されたローブ部分405を含む。アンカー要素400のボディはその中にルーメン401を形成し得る。ローブ部分405のローブ404（たとえば2つのローブ）は、アンカー要素400の管状ボディ中の切れ目412によってアンカー要素400の周囲に（たとえば周方向に等間隔で）形成されている。初期状態において、アンカー要素400のローブ部分405はアンカー要素400の縦軸L400と実質的に平行である（たとえばそれと同一の広がりを有する）。
【００３８】
また、図8Bを参照すると、係合部分406、408を互いに向けて移動させると、アンカー要素400を展開状態に移行させ得る。切れ目412が、ローブ404がアンカー要素400の一部分から（たとえば係合部分406、408から）外方に（たとえば、アンカー要素400の縦軸L400に対して側方または横向き（たとえば垂直）の方向に）延びることを可能にする。
【００３９】
図示するように、アンカー要素400は偏り機構（たとえば半径方向偏り機構）を含み得る。たとえば、アンカー要素400は、アンカー要素400の少なくとも一部分（たとえば係合部分406、408）の周囲に延びる1つまたは複数のばね414を含み得る。いくつかの態様において、ばね414はアンカー要素400の外側に配置される。他の態様において、ばね414はアンカー要素400内に配置されてもよい。ばね414は、アンカー要素400を初期状態に（たとえばそれに向けて）偏らせるように作用し得る。たとえば、ばね414は、ばね414が係合部分406、408を初期状態（たとえばアンカー要素400の非伸長内径）へと偏らせるよう、アンカー要素400の係合部分406、408をルーメン401に向かう半径方向内側に偏らせる（たとえばルーメン401を収縮させる）ように作用し得る。いくつかの態様において、ばね414は、アンカー要素400を医療装置102の周囲に比較的急速に締め付けるように作用する（たとえば図5を参照）。
【００４０】
本明細書に開示される任意のアンカー要素（たとえばアンカー要素100、200）が半径方向偏り機構（たとえばばね）を含み得ることが留意される。他の態様において、アンカー要素は軸方向偏り機構を含んでもよい。
【００４１】
図9および10は、アンカー展開装置500のそれぞれ斜視図および側面図を示す。アンカー展開装置500は、図4〜7を参照しながら上述したアンカー展開装置300に類似し得、それらと同じ特徴および機能の1つまたは複数を含み得る。図9および10に示すように、アンカー展開装置500は、第一のカニューレ（たとえば展開カニューレ502）と、少なくとも部分的に展開カニューレ502内に受容された第二のカニューレ（たとえばアンカーカニューレ504）とを含む。アンカー展開装置500は、アンカーカニューレ504に結合されたハンドル506（たとえばハブとして形成）を含み得、ハンドル506およびアンカーカニューレ504をアンカー展開装置500の別の部分（たとえば、アンカー展開装置500のボディ501）に対して動かし得るようになっている。たとえば、アンカー展開装置500のボディ501は、ハンドル506が少なくとも部分的に配置される開口部またはチャンバ507を画定し得る。いくつかの態様において、アンカー展開装置500のボディ501は、ハンドル506の一部分（たとえば相補的部分）が動いて（たとえばスライドして）ハンドル506およびアンカーカニューレ504をボディ501および展開カニューレ502に対して案内（かつ、たとえば保持）し得るところのトラック509をチャンバ507中に画定する。いくつかの態様において、アンカー展開装置500のボディ501は、ハンドル506をチャンバ507中に収容するのを支援するための1つまたは複数のストラップ520を含む。ボディ501に対するハンドル506の動きが、ユーザ（たとえば医療施術者）がアンカーカニューレ504を展開カニューレ502に対して共通軸に沿ってスライドさせることを可能にする。
【００４２】
図示するように、アンカー展開装置500は、アンカー要素（たとえば、内径拡張状態にあるアンカー要素400）がアンカー展開装置500のアンカーカニューレ504上に配置された状態で示されている。上記のように、アンカー展開装置500は、医療装置102（図5）の少なくとも一部分をアンカーカニューレ504内に受容することを可能にするようにサイズ設定されている内径（たとえば直径）を有し得る。同じく上記のように、ハンドル506、アンカーカニューレ504および展開カニューレ502を利用して、1つまたは複数のアンカー要素を医療装置上で（たとえば、先に示し、説明したように、アンカー要素100、200、400を医療装置102上で）展開し得る。
【００４３】
さらに図9および10に示すように、アンカー展開装置500は上部ハンドル510を含み得る。上部ハンドル510の第一端は、医療装置102（図5）を保持する（たとえばロックする、締め付ける、など）ロック機構512を含み得る。たとえば、アンカー要素が医療装置102上で展開されている場合に（たとえば、医療装置102の少なくとも一部分が対象中に内在している場合に）、ロック機構512は医療装置102を固定し得る。
【００４４】
上部ハンドル510の第二端は、ハンドル506およびアンカーカニューレ504を固定するためにハンドル506と係合する固定部材（たとえば突出部または細長い部材514）を含み得る。たとえば、上部ハンドル510の細長い部材514は、ハンドル506およびアンカーカニューレ504を保持し、ハンドル506およびアンカーカニューレ504がアンカー展開装置500のボディ501に対してスライドするのを防止し得る。
【００４５】
上部ハンドル510は、上部ハンドル510の第一端および第二端が互いに対して動く（たとえば枢動する）ようにボディ501に結合され得る（たとえば単一の点、位置または区域で）。たとえば、ロック機構512が医療装置102（図5）を固定している場合に、細長い部材514はハンドル506との係合を解除され、それによってハンドル506およびアンカーカニューレ504がボディ501に対して動くことを可能にする。同様に、細長い部材514がハンドル506と係合し、ハンドル506およびアンカーカニューレ504がボディ501に対して動くのを制限する場合に、ロック機構512は医療装置102から係合解除され、それによってアンカー展開装置500が医療装置102に沿って動く（たとえばスライドする）ことを可能にする。そのような構成は、アンカー要素が展開されている間にアンカー展開装置500を医療装置102に固定することを可能にし得、同様に、アンカー展開装置500が医療装置102に沿って動かされ、配置される場合にアンカー展開装置500を展開カニューレ502に対するアンカーカニューレ504の任意の望まれない動きに対して固定し得る。
【００４６】
アンカー展開装置500は、ユーザがアンカー展開装置500を医療装置102に沿って動かし、配置することを可能にする後部ハンドル516を含み得る。
【００４７】
いくつかの態様において、アンカー展開装置500は、ハンドル506の一部分と係合することによってハンドル506を格納位置に保持するのを支援し得る、トラック509に沿って配置された1つまたは複数のランプ518を含み得る。
【００４８】
アンカー展開装置が特定のアンカー要素との使用において記載されている限り、他の態様において、アンカー展開装置は、任意の適当なアンカー要素（たとえばアンカー要素100、200、400）とともに利用されてもよいことが留意される。
【００４９】
さらに、アンカー展開装置のアンカー要素および構成部品は、本明細書の中では直径を有するものとして主に記載されているが、これらの要素は必ずしも円形の断面に限定されないことが留意される。たとえば、アンカー展開装置のアンカー要素および構成部品ならびにその中に形成されたルーメンは、正方形、円形、楕円形、長方形または任意の他の適当な断面形状を有してもよい。
【００５０】
図11および12は、アンカー展開装置600のそれぞれ斜視図および断面図を示す。アンカー展開装置600は、図9および10を参照しながら上述したアンカー展開装置500に実質的に類似したものであり得る。図11および12に示すように、アンカー展開装置600は、図9および10に示す上部ハンドル510に実質的に類似したものでもよい上部ハンドル610を含み得る。上部ハンドル610の第一端は、医療装置102（図5）を保持する（たとえばロックする、締め付ける、など）ロック機構612を含むU字形または馬蹄形を実質的に示し得る。上部ハンドル610を、医療装置102を保持する位置にロックまたは保持するために、ロック機構612は、アンカー展開装置600上の突出部615と相補的である突出部613を含み得、突出部613、615間の締りがロック機構612を保持位置に保持する（たとえば図11に示すように）。
【００５１】
いくつかの態様において、上部ハンドル610は、基端位置（たとえば図11に示すような）から末端位置（たとえば図12に示すような）へのハンドル506の動きが上部ハンドル610のロック機構612を解放するように作用するようにサイズ設定されている。たとえば、上部ハンドル610の中間下寄り部分617は、ハンドル506が基端位置から末端位置に向けて動かされる場合に、ハンドル506の一部分が上部ハンドル610の中間下寄り部分617と接触するようにハンドル506の経路内に配置される。ハンドル506と上部ハンドル610の中間下寄り部分617との接触は、上部ハンドル610を上方に駆動し、それによって上部ハンドル610のロック機構612を解除するように作用し得る。
【００５２】
図示するように、上部ハンドル610のロック機構612が係合している場合に、ハンドル506を図11に示す基端位置に保持するために利用され得る細長い部材614は完全にハンドルの経路の外に配置されて、ハンドル506がアンカー展開装置600のボディ601に対して動くことを可能にし得る。
【００５３】
図13および14は、アンカー展開装置700のそれぞれ斜視図および断面図を示す。アンカー展開装置700は、図4〜7および9〜12を参照しながら上述したアンカー展開装置300、500、600に類似し得、それらと同じ特徴および機能の1つまたは複数を含み得る。図13および14に示すように、アンカー展開装置700は、第一のカニューレ（たとえば展開カニューレ702）と、少なくとも部分的に展開カニューレ702内に受容された第二のカニューレ（たとえばアンカーカニューレ704）とを含む。アンカー展開装置700は、アンカーカニューレ704に結合されたハンドル506を含み得、ハンドル506およびアンカーカニューレ704をアンカー展開装置700の別の部分（たとえばアンカー展開装置700のボディ701）に対して動かし得るようになっている。たとえば、アンカー展開装置700のボディ701は、ハンドル506が少なくとも部分的に配置される開口部またはチャンバ707を画定し得る。いくつかの態様において、アンカー展開装置700のボディ701は、ハンドル506の一部分（たとえば相補的部分）が動いて（たとえばスライドして）ハンドル506およびアンカーカニューレ704をボディ701および展開カニューレ702に対して案内（かつ、たとえば保持）し得るところのトラック709をチャンバ707中に画定する。ボディ701に対するハンドル506の動きが、ユーザ（たとえば医療施術者）がアンカーカニューレ704を展開カニューレ702に対して共通軸に沿ってスライドさせることを可能にする。
【００５４】
アンカー展開装置700は上部ハンドル710を含み得る。たとえば、上部ハンドル710は、医療装置（たとえばリード、カニューレなど）ロック位置（図13に示すような）とハンドルロック位置（たとえば図14に示すような）との間で動く、枢動点およびそこから延びるアームを有する旋回可能または枢動可能なハンドルとして形成され得る。上部ハンドル710の第一端（たとえば突出部または細長い部材714として形成された）は、医療装置102を医療装置ロック位置に保持する（たとえばロックする、締め付ける、係合する、など）ロック機構712を含み得る。たとえば、ロック機構712は、アンカー要素が医療装置102上で展開されている場合に（たとえば、医療装置102の少なくとも一部分が対象中に内在する場合に）、本体701中に形成された開口718に受容されて（たとえば、開口718内でボディ701の相補的部分と係合して）医療装置102を固定し得る（たとえば、医療装置102の一部分をボディ701に対して締め付ける、または他のやり方で捕らえることにより）。
【００５５】
図示するように、医療装置102の末端部分はボディ701中の開口718を通って延び得る。たとえば、医療装置102の末端部分は、開口718を通って下向きにアンカー展開装置700のボディ701に対して外側の位置まで延びるように回転（たとえば約90°）させ得る。
【００５６】
ハンドルロック位置においては、上部ハンドル710の同じ第一端（たとえば、第一端で上部ハンドル710の反対側に形成された突出部またはランプ720）がハンドル506と係合して、ハンドル506およびアンカーカニューレ704を固定する。たとえば、上部ハンドル710の突出部720は、ハンドル506およびアンカーカニューレ704を保持し、ハンドル506およびアンカーカニューレ704がアンカー展開装置700のボディ701に対してスライドするのを防止し得る。
【００５７】
上記のように、上部ハンドル710は、ロック機構712および突出部720をハンドル506または医療装置102の近くに選択的に配置するように動き（たとえば旋回または枢動し）得る。たとえば、ロック機構712が医療装置102（図5）を固定している場合に、突出部720はハンドル506との係合を解除され、それによってハンドル506およびアンカーカニューレ704がボディ701に対して動くことを可能にする。同様に、突出部720がハンドル506と係合し、ハンドル506およびアンカーカニューレ704がボディ701に対して動くのを制限する場合に、ロック機構712は医療装置102から係合解除され、それによってアンカー展開装置700が医療装置102に沿って動く（たとえばスライドする）ことを可能にする。そのような構成は、アンカー要素が展開されている間にアンカー展開装置700を医療装置102に固定することを可能にし得、同様に、アンカー展開装置700が医療装置102に沿って動かされ、配置される場合にアンカー展開装置700を展開カニューレ702に対するアンカーカニューレ704の任意の望まれない動きに対して固定し得る。
【００５８】
アンカー展開装置700は、ユーザがアンカー展開装置700を医療装置102に沿って動かし、配置することを可能にする後部ハンドル716を含み得る。
【００５９】
図15および16は、アンカー展開装置800のそれぞれ斜視図および断面図を示す。アンカー展開装置800は、図4〜7および9〜14を参照しながら上述したアンカー展開装置300、500、600、700に類似し得、それらと同じ特徴および機能の1つまたは複数を含み得る。図15および16に示すように、アンカー展開装置800は、第一のカニューレ（たとえば展開カニューレ802）と、少なくとも部分的に展開カニューレ802内に受容された第二のカニューレ（たとえばアンカーカニューレ804）とを含む。アンカー展開装置800は、アンカーカニューレ804に結合されたハンドル506（たとえばハブとして形成）を含み得、ハンドル506およびアンカーカニューレ804をアンカー展開装置800の別の部分（たとえばアンカー展開装置800のボディ801）に対して動かし得るようになっている。たとえば、アンカー展開装置800のボディ801は、ハンドル506が少なくとも部分的に配置される開口部またはチャンバ807を画定し得る。ボディ801に対するハンドル506の動きが、ユーザ（たとえば医療施術者）がアンカーカニューレ804を展開カニューレ802に対して共通軸に沿ってスライドさせることを可能にする。
【００６０】
アンカー展開装置800は上部ハンドル810を含む。たとえば、上部ハンドル810は、ボディ801によって画定された相補的溝822の中でスライドし、医療装置ロック位置（たとえば図15に示すような）とハンドルロック位置（たとえば図16に示すような）との間で動くスライド可能なハンドルとして形成され得る。図示するように、上部ハンドル810は、上部ハンドル810をボディ801にスライド可能に結合するために溝822の中に受容されるレール部分824を含み得る。上部ハンドル810の第一端は、医療装置102を保持する（たとえばロックする、締め付ける、など）ロック機構812を含み得る。たとえば、ロック機構812は、アンカー要素が医療装置102上で展開されている場合に（たとえば、医療装置102の少なくとも一部分が対象中に内在する場合に）本体801中に形成された開口818中に受容されて（かつ、たとえば開口818内でボディ801の相補的部分と係合して）医療装置102を固定し得る（たとえば、医療装置102の一部分をボディ801に対して締め付ける、または他のやり方で捕らえることにより）。
【００６１】
図示するように、医療装置102の末端部分はボディ801中の開口818を通って延び得る。たとえば、医療装置102の末端部分は、開口818を通って下向きにアンカー展開装置800のボディ801に対して外側の位置まで延びるように回転（たとえば約90°）させ得る。
【００６２】
ハンドルロック位置においては、上部ハンドル810の第二端が、ハンドル506と係合してハンドル506およびアンカーカニューレ804を固定する突出部または細長い部材814を含み得る。たとえば、上部ハンドル810の細長い部材814は、ハンドル506およびアンカーカニューレ804を保持し、ハンドル506およびアンカーカニューレ804がアンカー展開装置800のボディ801に対してスライドするのを防止し得る。
【００６３】
上部ハンドル810の第一端および第二端は、医療装置ロック位置とハンドルロック位置との間で動くために、ボディ801に対して動く（たとえばスライドする）。たとえば、ロック機構812が医療装置102を固定している場合に、細長い部材814はハンドル506との係合を解除され、それによってハンドル506およびアンカーカニューレ804がボディ801に対して動くことを可能にする。同様に、細長い部材814がハンドル506と係合し、ハンドル506およびアンカーカニューレ804がボディ801に対して動くのを制限する場合に、ロック機構812は医療装置102から係合解除され、それによってアンカー展開装置800が医療装置102に沿って動く（たとえばスライドする）ことを可能にする。そのような構成は、アンカー要素が展開されている間にアンカー展開装置800を医療装置102に固定することを可能にし得、同様に、アンカー展開装置800が医療装置102に沿って動かされ、配置される場合にアンカー展開装置800を展開カニューレ802に対するアンカーカニューレ804の任意の望まれない動きに対して固定し得る。
【００６４】
アンカー展開装置800は、ユーザがアンカー展開装置800を医療装置102に沿って動かし、配置することを可能にする後部ハンドル816を含み得る。
【００６５】
図17は、アンカー展開装置900の斜視図を示す。アンカー展開装置900は、図4〜7および9〜16を参照しながら上述したアンカー展開装置300、500、600、700、800に類似し得、それらと同じ特徴および機能の1つまたは複数を含み得る。図17に示すように、アンカー展開装置900は、第一のカニューレ（たとえば展開カニューレ902）と、少なくとも部分的に展開カニューレ902内に受容された第二またはアンカーカニューレ（図示せず）とを含む。アンカー展開装置900は、アンカーカニューレに結合されたハンドル506（たとえば図9および10を参照）を含み得、ハンドル506およびアンカーカニューレをアンカー展開装置900の別の部分（たとえばアンカー展開装置900のボディ901）に対して動かし得るようになっている。たとえば、アンカー展開装置900のボディ901は、ハンドル506が少なくとも部分的に配置される開口部または開放した凹み区域907を画定し得る。前記のように、ボディ901に対するハンドル506の動きが、ユーザ（たとえば医療施術者）がアンカーカニューレを展開カニューレ902に対して共通軸に沿って（たとえばトラック909に沿って）スライドさせることを可能にする。
【００６６】
本明細書に開示されるアンカー展開装置の他の態様のいくつかとは異なり、アンカー展開装置900は、ハンドル506（たとえば図9および図10を参照）および／または医療装置102（たとえば医療装置102（図1））の一部分の1つまたは複数を固定するためのさらなるハンドルを含まなくてもよい。むしろ、開放した凹み区域907が、アンカー展開装置900が医療装置102に沿って動かされ、配置される場合に、手で（たとえばユーザによって）、たとえば上記のようなやり方でハンドル506をトラック909に沿って動かし、ハンドル506を定位置に固定するために、ハンドル506へのユーザオープンアクセスを可能にし得る。
【００６７】
いくつかの態様において、ボディ901は、医療装置102（図1）の一部分を受容するための1つまたは複数の凹み910（たとえば溝またはチャネル）を含む。図示するように、凹み910は、ボディ901に沿って延び得、ボディ901に対して外側の位置まで横向きに1つまたは複数の方向に延びて、アンカー要素が医療装置102上に配置される場合にユーザが医療装置102を手で（たとえばユーザの手、指および／または親指によって）、たとえば上記のようなやり方で固定することを可能にし得る。
【００６８】
アンカー展開装置900は、ユーザがアンカー展開装置900を医療装置102に沿って動かし、配置することを可能にする後部ハンドル916を含み得る。
【００６９】
図18および19は、アンカー展開装置1000のそれぞれ斜視図および断面図を示す。アンカー展開装置1000は、図4〜7および9〜17を参照しながら上述したアンカー展開装置300、500、600、700、800、900に類似し得、それらと同じ特徴および機能の1つまたは複数を含み得る。図18および19に示すように、アンカー展開装置1000は、第一のカニューレ（たとえば展開カニューレ1002）と、少なくとも部分的に展開カニューレ1002内に受容された第二のカニューレ（たとえばアンカーカニューレ1004）とを含む。アンカー展開装置1000は、アンカーカニューレ1004に結合されたハンドル506（たとえばハブとして形成）を含み得、ハンドル506およびアンカーカニューレ1004をアンカー展開装置1000の別の部分（たとえばアンカー展開装置1000のボディ1001）に対して動かし得るようになっている。たとえば、アンカー展開装置1000のボディ1001は、ハンドル506が少なくとも部分的に配置される開口部またはチャンバ1007を画定し得る。ボディ1001に対するハンドル506の動きが、ユーザ（たとえば医療施術者）がアンカーカニューレ1004を展開カニューレ1002に対して共通軸に沿ってスライドさせることを可能にする。
【００７０】
アンカー展開装置1000は少なくとも1つのクリップ（たとえばクリップ1010）を含む。たとえば、クリップ1010は、医療装置ロック位置（たとえば図18に示すような）とハンドルロック位置（たとえば図19に示すような）との間に配置されるように構成され得る。医療装置ロック位置において、クリップ1010は、ボディ1001の相補的部分とインターフェースして医療装置102を保持（たとえばロック、締め付け、など）し得る。たとえば、クリップ1010は、ボディ1001の後部ハンドル1016の近くで（たとえば、後部ハンドル1016で）受容され得、それが、ユーザがアンカー展開装置1000を医療装置102に沿って動かし、配置することを可能にする。クリップ1010は、アンカー要素が医療装置102上で展開されている場合に（たとえば、医療装置102の少なくとも一部分が対象中に内在している場合に）ボディ1001と係合して医療装置102を固定し得る（たとえば、医療装置102の一部分をボディ1001に対して締め付ける、または他のやり方で捕らえることにより）。
【００７１】
図示するように、医療装置102の末端部分はボディ1001を通ってクリップ1010の近くまで延び得る。たとえば、医療装置102の末端部分は、アンカー展開装置1000のボディ1001に対して外側の位置まで下方に延びるように回転（たとえば約90°）させ得る。図19にわかりやすく示すように、クリップ1010は、医療装置102がクリップ1010を通過することを可能にするようにサイズ設定された開口部1018を含み得る。
【００７２】
ハンドルロック位置において、クリップ1010（たとえば同じクリップ1010または、他の態様においては、別のクリップ）が、近くで（たとえば、凹部1007で、および／または凹部1007の中で）ボディ1001に取り付けられ、ハンドル506と係合してハンドル506およびアンカーカニューレ1004を固定し得る。たとえば、クリップ1010は、ハンドル506およびアンカーカニューレ1004を保持し（たとえば、ハンドル506の動きを妨げることにより）、ハンドル506およびアンカーカニューレ1004がアンカー展開装置1000のボディ1001に対してスライドするのを防止し得る。
【００７３】
クリップ1010は、医療装置ロック位置とハンドルロック位置との間で動くために、ロック位置間で選択的に結合され得る。たとえば、クリップ1010がボディ1001の後方部分と係合し、医療装置102を固定している場合に、ハンドル506およびアンカーカニューレ1004はボディ1001に対して動くことができる。同様に、クリップ1010が凹み1007においてボディ1001の中央部分と係合し、ハンドル506およびアンカーカニューレ1004がボディ1001に対して動くのを制限している場合に、アンカー展開装置1000は医療装置102に沿って動く（たとえばスライドする）ことができる。そのような構成は、アンカー要素が展開されている間にアンカー展開装置1000を医療装置102に固定することを可能にし得、同様に、アンカー展開装置1000が医療装置102に沿って動かされ、配置される場合にアンカー展開装置1000を展開カニューレ1002に対するアンカーカニューレ1004の任意の望まれない動きに対して固定し得る。
【００７４】
図20は、アンカー展開装置1100の斜視図を示す。アンカー展開装置1100は、図18および19を参照しながら上述したアンカー展開装置1000に実質的に類似したものであり得る。図20に示すように、アンカー展開装置1100は少なくとも1つのクリップ（たとえばクリップ1110）を含む。たとえば、クリップ1110は、医療装置ロック位置（たとえば図18を参照）とハンドルロック位置（たとえば図20に示すような）との間に配置されるように構成され得る。
【００７５】
医療装置ロック位置において、クリップ1110は、ボディ1101の相補的部分（たとえば、後部ハンドル1116の間に配置された開口部1120）に結合されて医療装置102を保持（たとえばロック、締め付け、など）し得る（たとえば図18を参照）。たとえば、クリップ1110は、開口部1120の1つまたは複数の側面（たとえば、開口部1120の対向する側面）上にボディ1101によって画定された1つまたは複数のレール1122を受容するチャネル1124（たとえば、クリップ1110の対向する側面に画定された）を含み得る。クリップ1110は、後部ハンドル1116に近いボディ1101の一部分（たとえば突出部1128）と相補的である凹みまたはくぼみを有する第一の受容部分1126を含み得る。第一の受容部分1126に近いクリップ1110の外側部分のリップ1130が、アンカー展開装置1100の後方位置において（たとえば医療装置ロック位置において）クリップ1110をボディ1101上の突出部1128に固定するように作用し得る。たとえば、リップ1130は、ボディ1101中の相補的な凹み1132またはくぼみ中に受容され得る。
【００７６】
ハンドルロック位置において、クリップ1110（たとえば同じクリップ1110または、他の態様においては、別のクリップ）が、近くで（たとえば、凹部1107で、および／または凹部1107の中で）ボディ1101に取り付けられ、ハンドル506と係合してハンドル506およびアンカーカニューレ1004を固定し得る（たとえば図18を参照）。たとえば、ボディ1101の一部分（たとえば、凹み1107の1つの側面を画定するボディ1101の上寄り部分1136）と相補的である凹みまたはくぼみを有するクリップ1110の第二の受容部分1134が、ボディ1101と係合してハンドル506およびアンカーカニューレ1104を保持し（たとえば、ハンドル506の動きを妨げることにより）、ハンドル506およびアンカーカニューレ1104がアンカー展開装置1100のボディ1101に対してスライドするのを防止し得る。図示するように、ハンドルロック位置に配置されると、クリップ1110は、ボディ1101から横方向（たとえば水平方向）に延び得る。
【００７７】
いくつかの態様において、クリップ1110の少なくとも一部分は、クリップ1110をアンカー展開装置1100に複数の向きで配置することを可能にするために対称であり得る。たとえば、図20に示すように、クリップ1110を、図示される向きおよび、実質的に同じやり方で、クリップ1110を180°回転させた（たとえば反転させた）別の向きでアンカー展開装置1100に結合することを可能にするために、クリップ1110の上側がクリップ1110の下側と実質的に対称（たとえば同一）であり得る。
【００７８】
図21および22は、アンカー展開装置1200のそれぞれ斜視図および部分断面図を示す。アンカー展開装置1200は、図18〜20を参照しながら上述したアンカー展開装置1000、1100に実質的に類似したものであり得る。図21および22に示すように、アンカー展開装置1200は少なくとも1つのクリップ（たとえばクリップ1210）を含む。たとえば、クリップ1210は、医療装置ロック位置（たとえば図22に示すような）とハンドルロック位置（たとえば図21に示すような）との間に配置されるように構成され得る。
【００７９】
医療装置ロック位置において、クリップ1210は、ボディ1201の相補的部分（たとえば、後部ハンドル1216の間に配置された開口部1220）に結合されて医療装置102を保持（たとえばロック、締め付け、など）し得る（図21を参照）。たとえば、クリップ1210は、開口部1220の1つまたは複数の側面（たとえば開口部1220の対向する側面）上にボディ1201によって画定された1つまたは複数のレール1222を受容するチャネル1224（たとえば、クリップ1210の対向する側面に画定された）を含み得る。クリップ1210は、後部ハンドル1216に近いボディ1201の一部分（たとえば突出部1228）と相補的である凹みまたはくぼみを有する受容部分1226を含み得る。受容部分1226は、クリップ1210が医療装置ロック位置（たとえば図22に示すような）およびハンドルロック位置（たとえば図21に示すような）の両方においてボディ1201に結合することを可能にし得る。受容部分1226に近いクリップ1210の外側部分のリップ1230が、アンカー展開装置1200の後方位置において（たとえば医療装置ロック位置において）クリップ1210をボディ1201上の突出部1228に固定するように作用し得る。たとえば、リップ1230は、ボディ1201中の相補的な凹み1232またはくぼみ中に受容され得る。
【００８０】
図22にわかりやすく示すように、医療装置ロック位置において、医療装置102は、ボディ1201の内部からボディ1201中に形成された凹み1231を通って突出部1228および凹み1232の周囲に延び得る。クリップ1210がクリップ1210の一部分（たとえばリップ1230）とボディ1201との間で保持（たとえばピン留め、捕らえる、など）して医療装置102を固定し得る。
【００８１】
ハンドルロック位置において、クリップ1210（たとえば同じクリップ1210または、他の態様においては、別のクリップ）が、近くで（たとえば、凹部1207で、および／凹部1207の中で）ボディ1201に取り付けられ、ハンドル506と係合してハンドル506およびアンカーカニューレ1004を固定し得る（たとえば図18を参照）。たとえば、ボディ1201の一部分（たとえば、凹み1207の1つの側面を画定するボディ1201の上寄り部分1236）と相補的である凹みまたはくぼみを有するクリップ1210の受容部分1226が、ボディ1201と係合してハンドル506およびアンカーカニューレ1204を保持し（たとえば、ハンドル506の動きを妨げることにより）、ハンドル506およびアンカーカニューレ1204がアンカー展開装置1200のボディ1201に対してスライドするのを防止し得る。図示するように、ハンドルロック位置に配置されると、クリップ1210は、ボディ1201から横方向（たとえば垂直方向）に延び得る。
【００８２】
いくつかの態様において、クリップ1210の少なくとも一部分は、クリップ1210をアンカー展開装置1200に複数の向きで配置することを可能にするために対称であり得る。たとえば、図22に示すように、クリップ1210を、図示される向きおよび、実質的に同じやり方で、クリップ1210を180°回転させた（たとえば反転させた）別の向きでアンカー展開装置1200に結合することを可能にするために、クリップ1210の上側がクリップ1210の下側と実質的に対称（たとえば同一）であり得る。
【００８３】
図1〜22を参照すると、動作中、アンカー要素のルーメン（たとえば、アンカー要素100、200、400のルーメン101、201、401）は、アンカー要素100、200、400をアンカー展開装置300のアンカーカニューレ304上に配置するように拡大している。医療装置102（たとえば、対象内にすで挿入され、配置されている医療装置）がアンカー要素302内に配置され、アンカー展開装置300およびアンカー要素100、200、400が医療装置102に沿って動かされてアンカー要素100、200、400を対象内に配置する。そして、アンカー要素100、200、400は、アンカー展開装置（たとえば、アンカー展開装置300、500、600、700、800、900、1000、1100、1200の1つ）を利用して対象内で展開されて、アンカー要素100、200、400のローブ104、204、404を展開し、アンカー要素100、200、400を展開カニューレによって医療装置102に（たとえば、その周囲に）押し当て得る。アンカー要素100、200、400がアンカー要素100、200、400の初期ルーメンサイズに向けて収縮する場合の、医療装置102の周囲へのアンカー要素100、200、400の収縮が、アンカー要素100、200、400および医療装置102の両方が対象内に配置されている場合に、アンカー要素100、200、400を医療装置102の周囲に固定するように作用する。たとえば、アンカー要素100、200、400は、アンカー要素100、200、400のルーメン101、201、401の初期サイズまで、またはアンカー要素100、200、400のルーメン101、201、401の初期サイズと拡大（たとえば変形）サイズとの間の断面積まで収縮し得る。いくつかの態様において、アンカー要素100、200、400の収縮はまた、医療装置102の一部分（たとえばカニューレ）を収縮または圧縮し得る。
【００８４】
アンカー要素100、200、400が対象内で医療装置102の上に配置されたならば、アンカー要素100、200、400のローブ104、204、404が、対象の組織の1つまたは複数の部分と係合して、医療装置102を対象内の所望の位置に少なくとも部分的に保持することにより、医療装置102を定着し得る。
【００８５】
いくつかの態様においては、装填装置を利用して、1つまたは複数のアンカー要素（たとえばアンカー要素100、200、400）をアンカー展開装置（たとえばアンカー展開装置300、500、600、700、800、900、1000、1100、1200の1つ）の一部分（たとえばアンカーカニューレ）に装填してもよい。
【００８６】
たとえば、図23は、アンカー要素1302（たとえば、アンカー要素100、200、400の1つと類似または同じであり得る）をアンカー展開装置1304（たとえば、アンカー展開装置300、500、600、700、800、900、1000、1100、1200の1つと類似または同じであり得る）に装填するアンカー装填装置1300を示す。図示するように、アンカー装填装置1300は、ベース1306から延びるポスト1308を有するベース1306を含み得る。ポスト1308は、ポスト1308に取り付けられた（たとえば、アンカー要素1302をポスト1308の上にスライドさせ、アンカー要素1302を展開位置に配置することによって）アンカー要素1302を有し得る。いくつかの態様において、ポスト1308（および、たとえばベース1306）は、ポスト1308へのアンカー要素1302の装填を容易にするために、アンカー装填装置1300に取り外し可能に接続され得る。
【００８７】
アンカー装填装置1300は、アンカー要素1302およびアンカー展開装置1304の一部分の1つまたは複数を受容するための開口部をその中に有し得る。
【００８８】
図23に示すように、アンカー展開装置1304のカニューレ1310は、アンカー要素1302に隣接してペーシングされ得る（たとえば、ポスト1308の一部分をアンカー展開装置1304のカニューレ1310の内部チャネル内に受容することによって）。たとえば、ポスト1308は、カニューレ1310をポスト1308上に受容することを可能にするために、アンカー展開装置1304のカニューレ1310の内部チャネルよりも小さい太さ（たとえば直径）を有し得る。他の態様において、ポスト1308は、アンカー展開装置1304のカニューレ1310の太さ（たとえば直径）よりも大きい太さ（たとえば直径）を有し得、ポスト1308はカニューレ1310の上に受容され得る。
【００８９】
アンカー要素1302は、上記のように、医療装置への設置のために、ポスト1308からアンカー展開装置1304のカニューレ1310に移されて、アンカー要素1302をアンカー展開装置1304に装填し得る。たとえば、アンカー展開装置1304とアンカー装填装置1300との間に力を加えて、アンカー要素1302をポスト1308からカニューレ1310に移し得る。図示するように、ユーザが、アンカー装填装置1300（たとえば1つまたは複数のハンドル1312）およびアンカー展開装置1304（たとえば1つまたは複数のハンドル1314）に力を加えて（たとえばユーザの手または指で）アンカー要素1302をポスト1308からカニューレ1310に移し（たとえば押しやり）得る。
【００９０】
図24は、図23に関して上述したアンカー装填装置1300に類似し得るアンカー装填装置1400を示す。しかし、図示するように、アンカー装填装置1400は、アンカー要素1302がポスト1308からアンカー展開装置1304のカニューレ1310に移される場合に、アンカー装填装置1400を、アンカー装填装置1400に力を提供するための物体（たとえばテーブル、壁）に載せて、または当てて配置することを可能にする拡大したベース部分1414を含み得る。
【００９１】
いくつかの態様において、アンカー装填装置は、他の機構によってアンカー展開装置とアンカー装填装置との間に力を加えてアンカー要素をポストからカニューレに移すように構成されてもよい。たとえば、アンカー装填装置は、アンカー要素をポストからカニューレに押しやるための機械的利点を提供する、回転力を直線運動に変換する回転部分（たとえばウォーム駆動）、レバーシステムなどを含み得る。
【００９２】
たとえば、図25は、アンカー要素1302（たとえば、アンカー要素100、200、400の1つと類似または同じであり得る）をアンカー展開装置1304（たとえば、アンカー展開装置300、500、600、700、800、900、1000、1100、1200の1つと類似または同じであり得る）に装填するアンカー装填装置1500（たとえば、アンカー装填装置1300、1400に類似し、その1つまたは複数の構成部品を含み得る）の分解部分断面図を示す。図示するように、アンカー装填装置1500は、ベース1306から延びるポスト1308を有するベース1306を含み得る。ベース1306およびポスト1308は、アンカー装填装置1500の内側部材1516中に少なくとも部分的に収容され得る。内側部材1516は、アンカー装填装置1500の外側部材1520中のキャビティ1518内に少なくとも部分的に受容され、外側部材1520のキャビティ1518内で外側部材1520に対して動き得る。たとえば、内側部材1516は、キャビティ1518内で外側部材1520またはアンカー装填装置1500の縦軸に沿って移動し得る。
【００９３】
ポスト1308は、ポスト1308に取り付けられた（たとえば、アンカー要素1302をポスト1308の上にスライドさせ、アンカー要素1302を、内側部材1516中に設けられた開口部内で展開位置に配置することによって）アンカー要素1302を有し得る。いくつかの態様において、ポスト1308（および、たとえばベース1306）は、ポスト1308へのアンカー要素1302の装填を容易にするために、アンカー装填装置1500に取り外し可能に接続され得る。
【００９４】
アンカー装填装置1500は、アンカー要素1302およびアンカー展開装置1304の一部分の1つまたは複数を受容するための開口部をその中に有し得る。
【００９５】
図25に示すように、アンカー展開装置1304のカニューレ1310は、アンカー要素1302に隣接してペーシングされ得る（たとえば、ポスト1308の一部分をアンカー展開装置1304のカニューレ1310の内部チャネル内に受容することによって）。たとえば、ポスト1308は、カニューレ1310をポスト1308上に受容することを可能にするために、アンカー展開装置1304のカニューレ1310の内部チャネルよりも小さい太さ（たとえば直径）を有し得る。他の態様において、ポスト1308は、アンカー展開装置1304のカニューレ1310の太さ（たとえば直径）よりも大きい太さ（たとえば直径）を有し得、ポスト1308はカニューレ1310の上に受容され得る。
【００９６】
アンカー要素1302は、上記のように、医療装置への設置のために、アンカー装填装置1500とともにポスト1308からアンカー展開装置1304のカニューレ1310に移されて、アンカー要素1302をアンカー展開装置1304に装填し得る。たとえば、アンカー展開装置1304とアンカー装填装置1500との間に力を加えて、アンカー要素1302をポスト1308からカニューレ1310に移し得る。図示するように、アンカー展開装置1304は、アンカー装填装置1500に（たとえばその一部分内に）固定されて、アンカー展開装置1304をアンカー装填装置1500の一部分（たとえば外側部材1520）に対して固定位置に保持し得る。たとえば、アンカー展開装置1304の一部分（たとえばハンドル1314の1つまたは複数）が、外側部材1520中の対応する開口1522内に配置され得る。
【００９７】
アンカー要素1302は、アンカー装填装置1500により、内側部材1516を外側部材1520（および、たとえば、外側部材1520に対して固定されているアンカー展開装置1304）に対して動かす（たとえば、移動させる）ことによってポスト1308からカニューレ1310に移され（たとえば押しやられ）得る。たとえばアンカー装填装置1500は、外側部材1520上の相補的なねじ1528（たとえば雄ねじ）と係合するねじ1526（たとえば雌ねじ）を有する回転部材1524を含み得る。回転部材1524が外側部材1520にねじ付けられる場合に、回転部材1524の一部分が内側部材1516の一部分（たとえば内側部材1516の端部）と係合（たとえば当接）し、キャビティ1518内の内側部材1516を直線方向に押しやり得る。そのような態様においては、アンカー要素1302をポスト1308からカニューレ1310に押しやるために、回転部材1524を回転させることによってアンカー装填装置1500に加えられた力が内側部材1516に加えられて、内側部材1516を外側部材1520中にキャビティ1518に向けてその中に移動させる。
【００９８】
本開示を知らされたならば、当業者は、本明細書に開示された装置およびアセンブリを製造し、使用することができるであろう。たとえば、アンカー要素はポリマー（たとえばCARBOTHANE（登録商標）のようなポリウレタン類）から形成され得、ばねは金属材料（たとえば316ステンレス鋼）から形成され得る。
【図１】
0006585297.tif 000002
【図２】
0006585297.tif 000003
【図３】
0006585297.tif 000004
【図４】
0006585297.tif 000005
【図５】
0006585297.tif 000006
【図６】
0006585297.tif 000007
【図７】
0006585297.tif 000008
【図８】
0006585297.tif 000009
【図９】
0006585297.tif 000010
【図１０】
0006585297.tif 000011
【図１１】
0006585297.tif 000012
【図１２】
0006585297.tif 000013
【図１３】
0006585297.tif 000014
【図１４】
0006585297.tif 000015
【図１５】
0006585297.tif 000016
【図１６】
0006585297.tif 000017
【図１７】
0006585297.tif 000018
【図１８】
0006585297.tif 000019
【図１９】
0006585297.tif 000020
【図２０】
0006585297.tif 000021
【図２１】
0006585297.tif 000022
【図２２】
0006585297.tif 000023
【図２３】
0006585297.tif 000024
【図２４】
0006585297.tif 000025
【図２５】
0006585297.tif 000026